(57)【要約】【課題】芯管の螺旋状波形付管と巻管の螺旋状巻付けを同時に行い、かつ螺旋状波形が管軸方向に偏らず巻管を密着巻付け可能な形態にすることで高性能な熱交換器を製造することが可能な熱交換器の製造装置を得る。【解決手段】熱交換器の製造装置は、第１流体の流路を形成する芯管の外周面に、第２流体の流路を形成する管を螺旋状に巻付けて第１流体と前記第２流体との間で熱交換させる熱交換器の製造装置であって、芯管に対して自転自在なローラー状加工ツールを押圧させて螺旋状波形付管を形成する芯管加工機構と、芯管を保持した状態で芯管に捻り力を与えるとともに、芯管加工機構から螺旋状波形付管が排出される力により管軸方向に移動自在に配置された回転機構と、回転機構によって回転された螺旋状波形付管に管を螺旋状に巻付ける巻付機構と、を備えたものである。【選択図】図１Ａ
2018140418.tif 000002
【特許請求の範囲】
【請求項１】
第１流体の流路を形成する芯管の外周面に、第２流体の流路を形成する管を螺旋状に巻付けて前記第１流体と前記第２流体との間で熱交換させる熱交換器の製造装置であって、
前記芯管に対して自転自在なローラー状加工ツールを押圧させて螺旋状波形付管を形成する芯管加工機構と、
前記芯管を保持した状態で前記芯管に捻り力を与えるとともに、前記芯管加工機構から前記螺旋状波形付管が排出される力により管軸方向に移動自在に配置された回転機構と、
前記回転機構によって回転された前記螺旋状波形付管に前記管を螺旋状に巻付ける巻付機構と、を備えたことを特徴とする熱交換器の製造装置。
【請求項２】
前記回転機構は、熱交換器の製造進行方向側の前記芯管の端部に設けられたことを特徴とする請求項１に記載の熱交換器の製造装置。
【請求項３】
前記回転機構は、前記芯管の両端部に設けられたことを特徴とする請求項１または請求項２に記載の熱交換器の製造装置。
【請求項４】
前記回転機構により把持された前記芯管の内部には、短尺マンドレルが挿入されたことを特徴とする請求項１から請求項３のいずれか１項に記載の熱交換器の製造装置。
【請求項５】
前記回転機構は、複数のチャック爪を有しており、
前記複数のチャック爪を締めた時の開口形状が、前記芯管の外壁と同一形状になるように前記複数のチャックの爪の先端形状を前記芯管の外壁形状を分割した形状とすることを特徴とする請求項１から請求項４のいずれか１項に記載の熱交換器の製造装置。
【請求項６】
前記芯管は、前記ローラー状加工ツールの先端形状に対応した螺旋状波形を有することを特徴とする請求項１から請求項５のいずれか１項に記載の熱交換器の製造装置。
【請求項７】
前記螺旋状波形付管の外周面には、谷部分と山部分とが形成されており、
前記巻付機構には、前記螺旋状波形付管の前記谷部分に合わせて螺旋状の隙間が設けられたガイド部材が配置されたことを特徴とする請求項１から請求項６のいずれか１項に記載の熱交換器の製造装置。
【請求項８】
糸半田の巻付けをおこなう糸半田巻付機構を設けたことを特徴とする請求項１から請求項７のいずれか１項に記載の熱交換器の製造装置。
【請求項９】
前記芯管および前記螺旋状波形付管が保持された管支持機構を有することを特徴とする請求項１から請求項８のいずれか１項に記載の熱交換器の製造装置。
【請求項１０】
前記芯管を管軸方向に移動させる駆動力を有さないことを特徴とする請求項１から請求項９のいずれか１項に記載の熱交換器の製造装置。
【発明の詳細な説明】
【技術分野】
【０００１】
この発明は、熱交換器の製造装置に関するものであり、例えば、第１流体が流れる管と第２流体が流れる管とを備え、第１流体と第２流体との間で熱交換を行わせる熱交換器の製造装置に関するものである。
【背景技術】
【０００２】
従来の熱交換器の製造装置では、第１流体の流路を形成する芯管とこの芯管の外周面に巻き付けられ第２流体の流路を形成する巻管とを備え、芯管に巻管が螺旋状に巻き付けられ、芯管と巻管との間に溶融したろう材を供給した後、ろう材が冷却され固形化することで熱交換器を製造している。
ろう材は融解温度が相対的に高いため、加熱された芯管及び巻管の強度が低下し、ろう材を溶融させるために必要な熱エネルギーが大きくなるという問題がある。そのため、一般には、ろう材の代わりに低融点金属、たとえば半田を用いて芯管と巻管を接着固定かつ熱伝導性確保されている（例えば、特許文献１参照）。
【０００３】
また、従来の熱交換器の製造装置では、巻管が芯管に巻き付けられた直後に接着固定を行い、巻管が芯管に対して緩みなく密着した状態で固定することで熱交換器の熱伝達率を向上させるため、巻管が巻き付けられた直後の箇所を加熱して、加熱されて高温になった箇所に半田の供給を行うことで熱交換器を製造する熱交換器の製造装置が開示されている（例えば、特許文献２参照）。
【先行技術文献】
【特許文献】
【０００４】
【特許文献１】特許第４２２４７９３号公報
【特許文献２】特許第４７７５５１７号公報
【発明の概要】
【発明が解決しようとする課題】
【０００５】
しかしながら、特許文献１に開示された従来の熱交換器の製造装置では、螺旋状波形付管の形成と螺旋状波形付管への巻管の螺旋状巻付けが別々の工程で行われているため効率的な製造が行えないという問題があった。
また、特許文献２に開示された従来の熱交換器の製造装置では、芯管加工機構を持ち、巻管を巻付けながら同時に芯管に伝熱促進形状の加工を施しているが、加工される芯管が管軸方向に沿って駆動力で移動されるため、芯管に螺旋状波付けを行う場合、波形の管肉が管軸方向に押し潰されてしまい波形形状が管軸方向の片方に偏ってしまう問題があった。そのため、巻管との接触面積低下や巻管の密着巻付けが困難となり、熱交換器の性能が悪化するという問題があった。
【０００６】
この発明は、上述のような問題点を解決するためになされたものであり、螺旋状波形付管の形成と螺旋状波形付管への巻管の螺旋状巻付けを同時に行い、かつ螺旋状波形が管軸方向に偏らず巻管を密着巻付け可能にすることで高性能な熱交換器を製造することができる熱交換器の製造装置を提供することを目的にしている。
【課題を解決するための手段】
【０００７】
この発明に係る熱交換器の製造装置は、第１流体の流路を形成する芯管の外周面に、第２流体の流路を形成する管を螺旋状に巻付けて前記第１流体と前記第２流体との間で熱交換させる熱交換器の製造装置であって、前記芯管に対して自転自在なローラー状加工ツー
ルを押圧させて螺旋状波形付管を形成する芯管加工機構と、前記芯管を保持した状態で前記芯管に捻り力を与えるとともに、前記芯管加工機構から前記螺旋状波形付管が排出される力により管軸方向に移動自在に配置された回転機構と、前記回転機構によって回転された前記螺旋状波形付管に前記管を螺旋状に巻付ける巻付機構と、を備えたことを特徴とするものである。
【発明の効果】
【０００８】
この発明による熱交換器の製造装置によれば、管軸方向に移動させる駆動力を持たない回転機構を用いることで、螺旋状波形を管軸方向片方に偏らせるような力が働かないため、管軸方向に対称形な螺旋状波形付管が製造でき、巻管を密着巻付け可能な形状に加工することができる。なおかつ、回転機構の回転方向の回転駆動力（捻り駆動力）を螺旋状波付け加工と巻管の螺旋状巻付けの双方に用いることで同時加工を行う構成とし、効率的な熱交換器の製造を行うことができる。
【図面の簡単な説明】
【０００９】
【図１Ａ】この発明の実施の形態１に係る熱交換器の製造装置を示す概略側面図である。
【図１Ｂ】この発明の実施の形態１に係る熱交換器の製造装置を示す概略図である。
【図２】この発明の実施の形態２に係る熱交換器の製造装置を示す概略図である。
【図３】この発明の実施の形態３に係る回転機構の概略図である。
【図４】この発明の実施の形態４に係る回転機構の概略図である。
【図５】この発明の実施の形態５に係るローラー状加工ツールの概略図および芯管加工機構で加工された螺旋状波形付管の概略断面図である。
【図６】この発明の実施の形態６に係る巻付機構を示す概略図である。
【図７】この発明の実施の形態７に係る巻付機構を示す概略図である。
【図８】この発明の実施の形態８に係る熱交換器の製造装置を示す概略側面図である。
【図９】この発明の実施の形態８に係る管支持機構を示す概略断面図である。
【図１０】この発明の実施の形態８に係る別形態の管支持機構を示す概略断面図である。
【発明を実施するための形態】
【００１０】
実施の形態１．
以下、図面に基づいてこの発明の実施の形態１について説明する。なお、各図面において、同一符号は同一あるいは相当部分を示す。
図１Ａは、この発明の実施の形態１に係る熱交換器の製造装置を示す概略側面図である。また、図１Ｂは、この発明の実施の形態１に係る熱交換器の製造装置を示す概略図である。この発明の実施の形態１は、第１流体の流路を形成する芯管の外周面に、第２流体の流路を形成する管を螺旋状に巻付けて第１流体と第２流体との間で熱交換させる熱交換器の製造装置に関するものである。
図１Ａおよび図１Ｂに示すように、熱交換器の製造装置６０は、芯管である円筒管１に対して自転自在なローラー状加工ツール２１を押圧させて螺旋状波形付管２を形成する芯管加工機構２０と、芯管である円筒管１を保持した状態で芯管である円筒管１に回転駆動力（捻り駆動力）を与えるとともに、芯管加工機構２０から螺旋状波形付管２が排出される力（速度）により管軸方向に移動自在に配置された回転機構１０と、回転機構１０によって回転された螺旋状波形付管２に巻管３を螺旋状に巻付ける巻付機構３０を備えている。
【００１１】
より詳細には、図１Ａおよび図１Ｂに示すように、円筒管１は、熱交換器が製造される方向である熱交換器の製造進行方向Ｆ側の円筒管１端部に配置された回転機構１０のチャ
ック爪１１により把持され、モータ（図示なし）等により回転駆動力（捻り駆動力）を与えられている。そして、回転機構１０の回転駆動力（捻り駆動力）が円筒管１に伝達されて円筒管１の捻り力を発生させる。また、回転機構１０は、移動自在台５２上に載置され、ガイドレール５１によって管軸方向に移動自在となっている。また、ガイドレール５１は、土台５４の上に載置されている。
【００１２】
芯管加工機構２０は、複数個のローラー状加工ツール２１から構成されている。複数個のローラー状加工ツール２１が一周をＮ等分して配置されており、複数個のローラー状加工ツール２１による開口が開閉可能である。
管軸方向に対して放射状に移動するよう拘束された取付台座５３を設け、この取付台座５３にローラー状加工ツール２１がベアリング（図示なし）等を介して取り付けられている。これにより、管軸方向に対して所定角度を維持しながら、管軸方向に放射状に移動することができる自転自在な複数個のローラー状加工ツール２１を有する芯管加工機構２０の機能が実現される。
螺旋状波形付管２は、自転自在に保持された複数個のローラー状加工ツール２１を管軸方向に対して放射状に移動させ、円筒管１の外壁にローラー状加工ツール２１を押し込む芯管加工機構２０と、円筒管１との間に相対的回転駆動力（捻り駆動力）を与えることで製造される。
【００１３】
前述したように、回転機構１０は、ガイドレール５１によって管軸方向に移動自在に保持されており、螺旋状波形付管２が製造されることに伴う円筒管１の排出により、回転機構１０が移動する。
それと同時に、芯管加工機構２０から排出された螺旋状波形付管２に巻管３を供給し、回転機構１０による回転駆動力（捻り駆動力）によって、巻付機構３０は巻管３を螺旋状波形付管２の螺旋状波形に沿って螺旋状に巻付ける。螺旋状波形は、山部分と谷部分を有しており、巻管３は、谷部分に巻きつけられる。
【００１４】
この発明の実施の形態１における熱交換器の製造装置によれば、回転機構１０と芯管加工機構２０の間に相対的な回転駆動力（捻り駆動力）が与えられ、なおかつ管軸方向に移動させる駆動力は有しておらず、管軸方向への移動は芯管加工機構２０から螺旋状波形付管２が排出される力のみで行うことで、螺旋状波形を管軸方向片方に偏らせるような力が働くことはないため、管軸方向に対称形な螺旋状波形を持つ螺旋状波形付管２が製造でき、巻管３を密着巻付け可能な形状に加工することができる。
そして、巻管３が螺旋状波形付管２の螺旋状波形に密着することで、高性能な熱交換器が製造可能となるという効果がある。
【００１５】
なおかつ、回転機構１０の回転駆動力（捻り駆動力）を螺旋状波付け加工と巻管３の螺旋状巻付けの双方に用いることで同時加工を行い、熱交換器の製造工程を削減することで効率的な熱交換器の製造を行うことが可能になるという効果を持つ。
次に熱交換器の製造方法について説明する。まず、開いた状態のローラー状加工ツール２１の開口に円筒管１を通して設置し、円筒管１をチャックする。そして、ローラー状加工ツール２１の開口を閉じて（円筒管１の管壁にローラー状加工ツール２１を圧込）、回転機構１０を回転させる。暫く進んだ後、一旦回転を停止し、巻管３をセットし、巻付機構３０にて巻管３を螺旋状拘束する。円筒管１に回転駆動力（捻り駆動力）を与えて、芯管加工を継続しながら、螺旋状拘束具（図示なし）を滑るようにして巻管３が螺旋状に曲げられる（芯管外周に巻付けられる）。
【００１６】
実施の形態２．
図２は、この発明の実施の形態２に係る熱交換器の製造装置を示す概略図である。実施の形態１においては、熱交換器の製造進行方向Ｆ側にのみ回転機構１０を設置させた場合
を示した。この場合、芯管加工機構２０による螺旋状波形付管２の加工と巻付機構３０による巻管３の螺旋密着巻付けを同時に行うための回転駆動力（捻り駆動力）が不足する場合がある。この発明の実施の形態２における熱交換器の製造装置６０では、このような回転駆動力（捻り駆動力）が不足する場合に対応するものであり、２つの回転機構１０を備えており、回転機構１０は、芯管である円筒管１の両端部に設けられている。
円筒管１は、２つの回転機構１０のチャック爪１１により両側端部でそれぞれ把持され、２つの回転機構１０の回転駆動力（捻り駆動力）が円筒管１に伝達されて円筒管１の捻り力を発生させる。自転自在に保持された複数個のローラー状加工ツール２１を管軸方向に対して放射状に移動させ、円筒管１の外壁に押し込む芯管加工機構２０と、円筒管１との間に相対的回転駆動力（捻り駆動力）を与えることで、螺旋状波形付管２が製造される。
【００１７】
円筒管１の両端部に設けられた回転機構１０は同期させて同じ回転数で回転させるか、或いは芯管加工機構２０のローラー状加工ツール２１の押込み条件にて決まる回転数差を設けて異なる回転数で回転させることで、螺旋状波形付管２が製造できる。
その時、２つの回転機構１０は管軸方向に移動自在に保持されており、螺旋状波形付管２が製造されることに伴う円筒管１または螺旋状波形付管２の排出により、２つの回転機構１０がそれぞれ移動する。
それと同時に、芯管加工機構２０から排出された螺旋状波形付管２に巻管３を供給し、回転機構１０による回転駆動力（捻り駆動力）によって、巻付機構３０は巻管３を螺旋状波形付管２の螺旋状波形に沿って螺旋状に巻付ける。
【００１８】
この発明の実施の形態２における熱交換器の製造装置によれば、２つの回転機構１０が備えられており、芯管である円筒管１の両端部に回転機構１０をそれぞれ設置したことにより、加工に充分な回転駆動力（捻り駆動力）を与えることができ、螺旋状波形付管２の捩れ等を発生させることなく熱交換器を製造することができる。
【００１９】
実施の形態３．
図３は、この発明の実施の形態３に係る回転機構の概略図である。この発明の実施の形態３においては、円筒管１の肉厚が薄肉の場合において、回転機構１０のチャック爪１１により把持して十分な把持力を得るため、チャック爪１１を円筒管１に強く押し込むことで円筒管１が変形してしまい、回転駆動力（捻り駆動力）を付加した時に把持部の管肉の裂けや捩じり変形を引き起こしてしまうという課題に対処するためになされるものである。
図３に示すように、円筒管１の端部に短尺マンドレル１２を挿入し、チャック爪１１を押し込む部分の円筒管１内側にこの短尺マンドレル１２を配置する。
【００２０】
このような構成によれば、回転拘束力を得るためにチャック爪１１を円筒管１の管壁に強く押し込んだ場合でも短尺マンドレル１２があるため円筒管１を潰すことなく円筒管１のチャックを行うことができる。
また、短尺マンドレル１２は、長さが短いため、挿入と引抜きに時間がかからず短尺マンドレル１２の追加に関わる加工工程増加を抑制することができ、効率的に熱交換器を製造することができる。
【００２１】
実施の形態４．
図４は、この発明の実施の形態４に係る回転機構の概略図である。この発明の実施の形態４においては、円筒管１の肉厚が薄肉の場合において把持力を得るために、実施の形態３とは別形態で実施するものである。図４に示すように、複数個の把持力向上形状のチャック爪１３は、円筒管１を把持した時に爪の先端形状がなす開口が、円筒管１の外壁と同じ形状になるようにしたものである。即ち、把持力向上形状のチャック爪１３の先端形状は、円筒管１の外壁を分割した形状となっている。
【００２２】
このような構成によれば、把持力向上形状のチャック爪１３と円筒管１との接触面積を大きくすることができ、また、チャック爪１３を締めた時の開口形状が円筒管１の外壁と同形状となるため、円筒管１が薄肉の場合でも円筒管１を潰すことなくチャックを行うことができる。
この発明の実施の形態４においても、加工工程の増加はないため、効率的に熱交換器を製造することができる。
【００２３】
実施の形態５．
図５は、この発明の実施の形態５に係るローラー状加工ツールの概略図および芯管加工機構で加工された螺旋状波形付管の概略断面図である。図５において、白抜き矢印の左側は、ローラー状加工ツール２１の上面図を示し、白抜き矢印の右側は、そのローラー状加工ツール２１を用いた芯管加工機構２０で加工された螺旋状波形付管２の概略断面図を示す。この発明の実施の形態５は、ローラー状加工ツール２１の先端形状によって螺旋状波形付管２の螺旋状波形形状を調整することに関するものである。
図５の（ａ）に示すように、先端が丸みを帯びた形状を有するローラー状加工ツール２１を用いて熱交換器の製造を実施すると、螺旋状波形の谷部分はこのローラー状加工ツール２１の先端形状が転写され、丸みを帯びた形状となる。
【００２４】
また、図５の（ｂ）に示すように、先端が尖った形状を有するローラー状加工ツール２１を用いて熱交換器の製造を実施すると、螺旋状波形の谷部分は先端形状が転写され尖った形状となる。
また、図５の（ｃ）に示すように、ローラー状加工ツール２１の先端に突起２２を設けたローラー状加工ツール２１を用いて熱交換器の製造を実施すると、螺旋状波形の谷部分に局所的な凹み（窪み）２３を設けることができる。
その他、任意の先端形状を有するローラー状加工ツール２１を用いることで、このローラー状加工ツール２１の先端形状に対応した螺旋状波形が得られることは言うまでもない。
【００２５】
このような構成によれば、熱交換性能の高い螺旋状波形付管２の設計に応じた芯管加工を行う芯管加工機構２０を構成する事ができ、高性能な熱交換器を製造することが出来る。
特に、突起２２を設けたローラー状加工ツール２１を用いた芯管加工機構２０により得られる、凹み（窪み）２３を持つ螺旋状波形付管２は、高性能な熱交換器を製造する目的に対して有効である。
【００２６】
実施の形態６．
図６は、この発明の実施の形態６に係る巻付機構を示す概略図である。この発明の実施の形態６においては、巻管３を螺旋状波形付管２の谷部分に密着して螺旋状に巻き付けることに関するものである。図６に示すように、円筒管１とそれに繋がっている螺旋状波形付管２及び製造している熱交換器に、回転機構１０が回転駆動力（捻り駆動力）を与えており、その回転駆動力（捻り駆動力）により巻管３が巻き取られるように供給されていく。その時に螺旋状波形付管２の外周に、筒状を有し、螺旋状に隙間が設けられたガイド部材３１を配置する。またガイド部材３１はマウント３２により支持されている。
【００２７】
このガイド部材３１の隙間は、螺旋状波形付管２の谷部分に合わせて設けられており、その隙間を滑るように巻管３が供給される。
このような構成によれば、巻管３を螺旋状波形付管２の谷部分に選択的に供給することができる。また、巻管３がガイド部材３１の螺旋状の隙間を通ることで、巻管３が螺旋状
の塑性変形を受けるため、巻管３の密着巻付けをすることが出来る。
この発明の実施の形態６においては、螺旋状波形付管２の谷部分に巻管３が密着して巻き付けられることにより、高性能な熱交換器が製造できる。
【００２８】
実施の形態７．
図７は、この発明の実施の形態７に係る巻付機構を示す概略図である。この発明の実施の形態７は、螺旋状波形付管２に巻管３を密着巻付けした後、この芯管である螺旋状波形付管２と巻管３を低融点金属、たとえば半田を用いて接着固定かつ熱伝導性確保をすることに関するものである。
図７に示すように、巻付機構３０による巻管３の螺旋状密着巻付けの後、巻付機構３０より熱交換器の製造進行方向Ｆ側の箇所で、糸半田４を糸半田巻付機構４０によって巻付けを行う。この時の回転駆動力（捻り駆動力）は、回転機構１０から付与され、芯管加工機構２０による螺旋状波形付管２の加工と巻付機構３０による巻管３の螺旋密着巻付けを同時に行っている回転駆動力（捻り駆動力）を用いる。
【００２９】
このような構成によれば、芯管である螺旋状波形付管２と巻管３を低融点金属、たとえば半田を用いて接着固定かつ熱伝導性確保するための工程として、溶融半田槽に浸漬する工程を別に設ける必要はなく、糸半田４が巻付いている熱交換器全体を加熱するだけで芯管である螺旋状波形付管２と巻管３とを接着固定し、かつ熱伝導性確保を行うことができる。
この発明の実施の形態７における熱交換器の製造方法によれば、熱交換器の製造工程における芯管である螺旋状波形付管２と巻管３とを接着固定する工程を削減することができるため、熱交換器を効率的に製造することができる。
【００３０】
実施の形態８．
図８は、この発明の実施の形態８に係る熱交換器の製造装置を示す概略側面図である。この発明の実施の形態８は、長尺の熱交換器全体を反り等なく保持し、製造中の芯管の直線性を確保することに関するものである。
図８に示すように、円筒管１が、熱交換器の製造進行方向Ｆ側の回転機構１０のチャック爪１１により把持され、回転機構１０の回転駆動力（捻り駆動力）が円筒管１に伝達されて円筒管１の捻り力を発生させる。回転機構１０は、ガイドレール５１によって管軸方向に移動自在に保持されている移動自在台５２に設置されているため、この発明の実施の形態８における管軸方向に移動自在に保持された回転機構１０の機能が実現されている。
【００３１】
自転自在に保持された複数個のローラー状加工ツール２１を管軸方向に対して放射状に移動させ、円筒管１の外壁に押し込む芯管加工機構２０と、円筒管１との間に相対的回転駆動力（捻り駆動力）を与えることで、螺旋状波形付管２が製造される。管軸方向に対して放射状に移動するよう拘束された取付台座５３を設け、この取付台座５３にローラー状加工ツール２１がベアリング（図示なし）等を介して取り付けられている。これにより、管軸方向に対して所定角度を維持しながら、管軸方向に放射状に移動することができる自転自在な複数個のローラー状加工ツール２１を有する芯管加工機構２０の機能が実現される。
【００３２】
その時、回転機構１０は管軸方向に移動自在に保持されており、螺旋状波形付管２が製造されることに伴う管の排出により、回転機構１０が移動する。
それと同時に、芯管加工機構２０から排出された螺旋状波形付管２に巻管３を供給し、回転機構１０による回転駆動力（捻り駆動力）によって、巻付機構３０は巻管３を螺旋状波形付管２の螺旋状波形に沿って螺旋状に巻付ける。
また、円筒管１、螺旋状波形付管２及び製造中の熱交換器は、管支持機構５０によって支持されている。この管支持機構５０は、円筒管１、螺旋状波形付管２及び熱交換器が自
重により撓まないような間隔にて設けられており、回転機構１０や熱交換器が熱交換器の製造進行方向Ｆに移動することに伴い、土台５４の上面より下部まで下がる等、進路の妨げとならないように移動可能とする。
【００３３】
図９は、この発明の実施の形態８に係る管支持機構を示す概略断面図である。また、図１０は、この発明の実施の形態８に係る別形態の管支持機構を示す概略断面図である。
図９および図１０に示すように、円筒管１、螺旋状波形付管２及び熱交換器を反り等なく、製造中の直線性を確保するよう保持できる形状であれば、図９または図１０に示した形状に限らず実施可能である。
このような構成によれば、この発明の実施の形態８における熱交換器製造方法を実現する製造装置が得られる。また、長尺の熱交換器全体を反り等無く保持し、製造中の芯管の直線性を確保することが出来、高性能な熱交換器の製造における品質確保をすることができる。
なお、この発明は、その発明の範囲内において、各実施の形態を自由に組み合わせたり、各実施の形態を適宜、変形、省略することが可能である。
【符号の説明】
【００３４】
１  円筒管、２  螺旋状波形付管、３  巻管、４  糸半田、１０  回転機構、１１  チャック爪、１２  短尺マンドレル、１３  チャック爪、２０  芯管加工機構、２１  ローラー状加工ツール、２２  突起、２３  凹み（窪み）、３０  巻付機構、３１  ガイド部材、３２  マウント、４０  糸半田巻付機構、５０  管支持機構、５１  ガイドレール、５２  移動自在台、５３  取付台座、５４  土台、６０  熱交換器の製造装置、Ｆ  熱交換器の製造進行方向
【図１Ａ】
2018140418.tif 000003
【図１Ｂ】
2018140418.tif 000004
【図２】
2018140418.tif 000005
【図３】
2018140418.tif 000006
【図４】
2018140418.tif 000007
【図５】
2018140418.tif 000008
【図６】
2018140418.tif 000009
【図７】
2018140418.tif 000010
【図８】
2018140418.tif 000011
【図９】
2018140418.tif 000012
【図１０】
2018140418.tif 000013